(57)【要約】【課題】媒体の誤挿入を抑制する。【解決手段】媒体Ｍに記録を実行する本体部２と、本体部２に媒体Ｍを挿入する挿入口６と、挿入口６に設けられ、媒体Ｍの幅に対応して位置を変更することで該媒体Ｍの挿入範囲７を決めるとともに該媒体Ｍの本体部２への挿入をガイドするガイド部９と、挿入口６のうちの挿入範囲７と異なる非挿入範囲８における媒体Ｍの挿入を抑制する挿入抑制部１０と、を備えることを特徴とする記録装置１。このような構成の記録装置１とすることで、媒体Ｍの誤挿入を抑制することが可能になる。【選択図】図４
2017114574.tif 000002
【特許請求の範囲】
【請求項１】
媒体を給送する本体部と、
前記本体部に前記媒体を挿入する挿入口と、
前記挿入口に設けられ、前記媒体の幅に対応して位置を変更することで該媒体の挿入範囲を決めるとともに該媒体の前記本体部への挿入をガイドするガイド部と、
前記挿入口のうちの前記挿入範囲と異なる非挿入範囲における前記媒体の挿入を抑制する挿入抑制部と、
を備えることを特徴とするシート給送装置。
【請求項２】
請求項１に記載のシート給送装置において、
前記挿入抑制部は、前記ガイド部が媒体の幅に対応して位置を変更することに連動して前記媒体の挿入を抑制する状態を作るよう構成されていることを特徴とするシート給送装置。
【請求項３】
請求項２に記載のシート給送装置において、
前記挿入抑制部は、前記非挿入範囲の少なくとも一部をカバー可能なカバー部を有し、
前記カバー部は、前記挿入範囲を広げる方向に前記ガイド部の位置を変更することに伴い、少なくとも一部が折りたたまれるよう構成されていることを特徴とするシート給送装置。
【請求項４】
請求項２に記載のシート給送装置において、
前記挿入抑制部は、前記非挿入範囲の少なくとも一部をカバー可能なカバー部を有し、
前記カバー部は、前記挿入範囲を広げる方向に前記ガイド部の位置を変更することに伴い、少なくとも一部が前記挿入口から退避するよう構成されていることを特徴とするシート給送装置。
【請求項５】
請求項２に記載のシート給送装置において、
前記挿入抑制部は、前記非挿入範囲の少なくとも一部をカバー可能なカバー部を有し、
前記カバー部は、前記挿入範囲を広げる方向に前記ガイド部の位置を変更することに伴い、少なくとも一部が巻き取られるよう構成されていることを特徴とするシート給送装置。
【請求項６】
請求項２に記載のシート給送装置において、
前記挿入抑制部は、前記挿入口に対して進退可能な進退部を有し、
前記進退部は、前記ガイド部の位置を変更することにより、前記挿入範囲が所定の範囲未満となった場合に前記非挿入範囲に進入し、前記挿入範囲が所定の範囲以上となった場合に前記非挿入範囲から退出するよう構成されていることを特徴とするシート給送装置。
【請求項７】
前記媒体に記録を行う記録ヘッドと、請求項１から請求項６のいずれか１項に記載のシート給送装置と、を有することを特徴とする記録装置。
【発明の詳細な説明】
【技術分野】
【０００１】
本発明は、シート給送装置および記録装置に関する。
【背景技術】
【０００２】
従来から、様々なシート給送装置および記録装置が使用されている。このようなシート給送装置および記録装置のうち、様々な大きさの媒体を給送、および該媒体に記録可能であって、媒体の挿入口に該媒体の幅に対応して位置を変更することで該媒体の挿入範囲を決めるとともに該媒体の挿入をガイドするガイド部を備えるものが開示されている。  
例えば、特許文献１には、上記ガイド部としてのエッジガイドを備えるインクジェット式記録装置が開示されている。
【先行技術文献】
【特許文献】
【０００３】
【特許文献１】特開２００２−１５４２２６号公報
【発明の概要】
【発明が解決しようとする課題】
【０００４】
しかしながら、ガイド部を備える記録装置において幅の狭い媒体に記録を行う際、ユーザーは、媒体の挿入範囲を誤認識し、前記ガイド部によって設定された適正な媒体の挿入範囲と異なる範囲に媒体を挿入してしまう場合があった。このような場合、該異なる範囲から誤挿入した媒体を取り出して、改めて適正な媒体の挿入範囲に挿入し直す必要があり、ユーザーに負担をかける場合があった。
【０００５】
そこで、本発明の目的は、媒体の誤挿入を抑制することである。
【課題を解決するための手段】
【０００６】
上記課題を解決するための本発明の第１の態様のシート給送装置は、媒体を給送する本体部と、前記本体部に前記媒体を挿入する挿入口と、前記挿入口に設けられ、前記媒体の幅に対応して位置を変更することで該媒体の挿入範囲を決めるとともに該媒体の前記本体部への挿入をガイドするガイド部と、前記挿入口のうちの前記挿入範囲と異なる非挿入範囲における前記媒体の挿入を抑制する挿入抑制部と、を備えることを特徴とする。
【０００７】
本態様によれば、媒体の幅に対応して位置を変更することで該媒体の挿入範囲を決めるとともに該媒体の本体部への挿入をガイドするガイド部を挿入口に備え、挿入口のうちの非挿入範囲における媒体の挿入を抑制する挿入抑制部を備える。すなわち、挿入口のうち、挿入範囲（適正な媒体の挿入範囲）には媒体を挿入可能にするとともに、非挿入範囲（適正な媒体の挿入範囲以外の範囲）には媒体を挿入不可能にすることができる。このため、媒体の誤挿入を抑制することができる。
【０００８】
本発明の第２の態様のシート給送装置は、前記第１の態様において、前記挿入抑制部は、前記ガイド部が媒体の幅に対応して位置を変更することに連動して前記媒体の挿入を抑制する状態を作るよう構成されていることを特徴とする。
【０００９】
本態様によれば、前記挿入抑制部は、前記ガイド部が媒体の幅に対応して位置を変更することに連動して、即ち自動的に前記媒体の挿入を抑制する状態を作る。これにより、ユーザーに負担をかけることなく媒体の誤挿入を抑制することができる。
【００１０】
本発明の第３の態様のシート給送装置は、前記第２の態様において、前記挿入抑制部は、前記非挿入範囲の少なくとも一部をカバー可能なカバー部を有し、前記カバー部は、前記挿入範囲を広げる方向に前記ガイド部の位置を変更することに伴い、少なくとも一部が折りたたまれるよう構成されていることを特徴とする。
【００１１】
本態様によれば、非挿入範囲の少なくとも一部をカバー可能なカバー部を有し、カバー部は、挿入範囲を広げる方向にガイド部の位置を変更することに伴い、少なくとも一部が折りたたまれるよう構成されている。このため、簡単に挿入抑制部を構成することができる。また、装置本体における折り畳み側のスペースを有効に利用して設置することができ、装置の大型化を抑制することができる。
【００１２】
本発明の第４の態様のシート給送装置は、前記第２の態様において、前記挿入抑制部は、前記非挿入範囲の少なくとも一部をカバー可能なカバー部を有し、前記カバー部は、前記挿入範囲を広げる方向に前記ガイド部の位置を変更することに伴い、少なくとも一部が前記挿入口から退避するよう構成されていることを特徴とする。
【００１３】
本態様によれば、非挿入範囲の少なくとも一部をカバー可能なカバー部を有し、カバー部は、挿入範囲を広げる方向にガイド部の位置を変更することに伴い、少なくとも一部が挿入口から退避するよう構成されている。このため、簡単に挿入抑制部を構成することができる。また、装置本体における退避する側のスペースを有効に利用して設置することができ、装置の大型化を抑制することができる。
【００１４】
本発明の第５の態様のシート給送装置は、前記第２の態様において、前記挿入抑制部は、前記非挿入範囲の少なくとも一部をカバー可能なカバー部を有し、前記カバー部は、前記挿入範囲を広げる方向に前記ガイド部の位置を変更することに伴い、少なくとも一部が巻き取られるよう構成されていることを特徴とする。
【００１５】
本態様によれば、非挿入範囲の少なくとも一部をカバー可能なカバー部を有し、カバー部は、挿入範囲を広げる方向にガイド部の位置を変更することに伴い、少なくとも一部が巻き取られるよう構成されている。このため、簡単に挿入抑制部を構成することができる。また、巻取式であるので、カバーは巻取部内に巻き取られて収容されるので、装置の大型化を抑制することができる。
【００１６】
本発明の第６の態様のシート給送装置は、前記第２の態様において、前記挿入抑制部は、前記挿入口に対して進退可能な進退部を有し、前記進退部は、前記ガイド部の位置を変更することにより、前記挿入範囲が所定の範囲未満となった場合に前記非挿入範囲に進入し、前記挿入範囲が所定の範囲以上となった場合に前記非挿入範囲から退出するよう構成されていることを特徴とする。
【００１７】
本態様によれば、挿入口に対して進退可能な進退部を有し、進退部は、ガイド部の位置を変更することにより、挿入範囲が所定の範囲未満となった場合に非挿入範囲に進入し、挿入範囲が所定の範囲以上となった場合に非挿入範囲から退出するよう構成されている。このため、突起部のような小さい構成部材で媒体の誤挿入を抑制することができる。
【００１８】
本発明の第７の態様の記録装置は、前記媒体に記録を行う記録ヘッドと、前記第１から第６のいずれか１つに記載のシート給送装置と、を有することを特徴とする。
【００１９】
本態様によれば、媒体の誤挿入を抑制することができる。
【図面の簡単な説明】
【００２０】
【図１】本発明の実施例１に係る記録装置の概略斜視図。
【図２】本発明の実施例１に係る記録装置の要部の概略斜視図。
【図３】本発明の実施例１に係る記録装置の要部の概略斜視図。
【図４】本発明の実施例１に係る記録装置の要部の概略平面透視図。
【図５】本発明の実施例２に係る記録装置の要部の概略斜視図。
【図６】本発明の実施例３に係る記録装置の要部の概略平面透視図。
【図７】参考例の記録装置の概略斜視透視図。
【発明を実施するための形態】
【００２１】
以下に、本発明の一実施例に係る記録装置（シート給送装置）１について、添付図面を参照して詳細に説明する。  
［実施例１］（図１から図４）  
最初に、実施例１の記録装置１の概要について説明する。  
図１は本実施例に係る記録装置１の概略斜視図である。図１では、記録がなされた媒体Ｍ（図２参照）を受けるスタッカー４が本体部２に対して内側位置にある状態を表している。ただし、２点鎖線においてスタッカー４が本体部２に対して外側位置に移動した状態（媒体Ｍを受けられる状態）を表している。
【００２２】
本実施例の記録装置１の本体部２の上部には、該記録装置１により媒体を給送し、画像を形成する（記録する）媒体Ｍの挿入口６が設けられている。本実施例の記録装置１の要部である挿入口６についての詳細な説明は後述する。
【００２３】
また、記録装置１の本体部２の内部にはインクを吐出して媒体Ｍに記録することが可能な記録ヘッド１４が備えられている。そして、本実施例の記録装置１は、記録ヘッド１４が設けられたキャリッジ１５を媒体Ｍの挿入方向Ａと交差する走査方向Ｂに往復移動させることで、記録ヘッド１４を走査方向Ｂに往復移動させながら、記録ヘッド１４から媒体支持部に支持された媒体Ｍにインクを吐出させて所望の画像を形成する。  
なお、記録ヘッド１４による記録領域の上部にはスキャナユニット１６が設けられている。
【００２４】
ここで、図１は、待機状態或いは電源がオフになっている状態を表している。図１で表されるように、本実施例の記録装置１は、待機状態或いは電源がオフになっている状態においては、なるべく場所をとらないように、スタッカー４が本体部２に対して内側位置にある。一方、本実施例の記録装置１は、記録を開始することが可能な状態においては、カバー５を開いてスタッカー４を本体部２に対して外側位置に移動させる。そして、記録ヘッド１４により記録がなされた媒体Ｍは、本体部２の内部から排出方向Ｃに搬送され、スタッカー４にスタックされる。
【００２５】
次に、本実施例の記録装置１における要部である挿入口６について詳細に説明する。  
ここで、図２は、本実施例の記録装置１の挿入口６を、操作パネル３（図１参照）の位置を正面側として挿入口６が形成される側を上側とした場合において右上前方から見た際の、該挿入口６の概略斜視図である。また、図３は、該場合において右上後方（図２より少し後方）から見た際の、該挿入口６の概略斜視図である。また、図４は、該挿入口６の概略平面透視図（挿入口６の近傍上部を覆うカバー部を透視した図）である。  
また、図７は、参考例の記録装置の概略斜視透視図を表している。
【００２６】
図２から図４で表されるように、本実施例の挿入口６には、走査方向Ｂに沿って移動可能なエッジガイド９（エッジガイド９ａ及び９ｂ）が設けられている。エッジガイド９は、媒体Ｍの挿入口６に設けられ、媒体Ｍの幅に対応して位置を変更することで挿入口６における該媒体Ｍの挿入範囲７を決めるとともに該媒体Ｍの本体部２への挿入をガイドする、ガイド部としての役割をしている。
【００２７】
なお、図２で表されるように、幅の狭い媒体Ｍに記録を実行する場合、エッジガイド９ａ及び９ｂの間隔を狭め、挿入範囲７を狭くする必要がある。すると、挿入口６のうちの挿入範囲７と異なる非挿入範囲８（非挿入範囲８ａ及び８ｂ）が相対的に広くなる。このため、例えば図２で表されるように、非挿入範囲８の幅が媒体Ｍの幅よりも広くなる場合がある。
【００２８】
ここで、挿入抑制部１０を備えていない参考例の記録装置１３においては、図７で表されるように、エッジガイド９ａ及び９ｂの間隔を狭めて挿入範囲７を狭くし、ユーザーが間違えて挿入範囲７ではなく非挿入範囲８（図７においては非挿入範囲８ａ）に媒体Ｍを挿入してしまうと、媒体Ｍが本体部２に入り込んでしまう場合があった。このような場合、該媒体Ｍに適正に記録が行えなくなるので、該媒体Ｍを本体部２から取り出し、適正な挿入範囲７に該媒体Ｍを挿入し直し記録を実行する必要がある。しかしながら、図７で表されるように媒体Ｍが本体部２に入り込んでしまうと、該媒体Ｍを本体部２から取り出すのが困難な場合があった。本実施例の記録装置１や参考例の記録装置１３は上部にスキャナユニット１６が備えられる構成であるが、特に、このような上部にスキャナユニット１６が備えられる構成においては、媒体Ｍが本体部２に入り込んでしまうと、該媒体Ｍを本体部２から取り出すのが困難であった。
【００２９】
そこで、本実施例の記録装置１は、図３及び図４で表されるように、非挿入範囲８における媒体Ｍの挿入を抑制する挿入抑制部１０を備えている。なお、本実施例の記録装置１は、非挿入範囲８ａに対応して挿入抑制部１０としてのカバー部１０ａを備えているとともに、非挿入範囲８ｂに対応してカバー部１０ａと同様の構成のカバー部を備えている。しかしながら、図３においては、挿入口６のカバー状態（挿入抑制部１０（カバー部１０ａ）による非挿入範囲８（非挿入範囲８ａ）のカバー状態）を、非挿入範囲８ａと非挿入範囲８ｂとを比較することで分かりやすくするために、非挿入範囲８ｂに対応する挿入抑制部１０を省略して表している。
【００３０】
ここで、本実施例の記録装置１について、まとめると、本実施例の記録装置１は、媒体Ｍに記録を実行する本体部２と、本体部２に媒体Ｍを挿入する挿入口６と、を備えている。  
そして、挿入口６に設けられ、媒体Ｍの幅に対応して位置を変更することで該媒体Ｍの挿入範囲７を決めるとともに該媒体Ｍの本体部２への挿入をガイドするエッジガイド９と、挿入口６のうちの挿入範囲７と異なる非挿入範囲８における媒体Ｍの挿入を抑制する挿入抑制部１０と、を備えている。  
すなわち、本実施例の記録装置１は、挿入口６のうち、挿入範囲７（適正な媒体Ｍの挿入範囲）には媒体Ｍを挿入可能にするとともに、非挿入範囲８（適正な媒体Ｍの挿入範囲以外の範囲）には媒体Ｍを挿入不可能にすることができる構成になっている。このため、媒体Ｍの誤挿入を抑制することができる構成になっている。
【００３１】
本実施例にいては、挿入抑制部１０は、エッジガイド９が媒体Ｍの幅に対応して位置を変更することに連動して媒体Ｍの挿入を抑制する状態を作るよう構成されている。  
これにより、挿入抑制部１０は、エッジガイド９が媒体Ｍの幅に対応して位置を変更することに連動して、即ち自動的に媒体Ｍの挿入を抑制する状態を作る。これにより、ユーザーに負担をかけることなく媒体Ｍの誤挿入を抑制することができる。  
尚、挿入抑制部１０は、エッジガイド９が媒体Ｍの幅に対応して位置を変更する動きとは独立して、例えば操作部によって媒体Ｍの挿入を抑制する状態と抑制しない状態を切り換えるよう構成されていてもよい。
【００３２】
ここで、本実施例の挿入抑制部１０の形状についてさらに詳細に説明する。  
図４のうち、図４Ａはエッジガイド９ａを走査方向Ｂにおける最も中央側に移動させた状態、図４Ｃはエッジガイド９ａを走査方向Ｂにおける最も端部側に移動させた状態、図４Ｂはエッジガイド９ａを図４Ａ及び図４Ｃで表される位置の間の位置に移動させた状態、を表している。  
図４Ａから図４Ｃで表されるように、本実施例の挿入抑制部１０（カバー部１０ａ）は、エッジガイド９の移動に伴い屈折可能な屈折部１１を備えている。
【００３３】
別の表現をすると、本実施例の挿入抑制部１０は、非挿入範囲８の少なくとも一部をカバー可能なカバー部１０ａを有し、カバー部１０ａは、挿入範囲７を広げる方向にエッジガイド９の位置を変更することに伴い、少なくとも一部が折りたたまれるよう構成されている。これにより、簡単に挿入抑制部１０を構成することができる。また、カバー部１０ａの装置本体における退避する側のスペースを有効に利用して設置することができ、装置の大型化を抑制することができる。  
なお、本実施例のカバー部１０ａは、１つの屈折部１１を備える構成であるが、屈折部１１を複数備える構成であってもよい。
【００３４】
［実施例２］（図５）
次に、本発明の実施例２の記録装置１について説明する。  
図５は、本実施例の記録装置１の挿入口６を、右上やや後方から見た際の、該挿入口６の概略斜視図である。このうち、図５Ａから図５Ｄは、図５Ａ、図５Ｂ、図５Ｃ、図５Ｄとなるにつれてエッジガイド９ａを走査方向Ｂにおける中央側から端部側に移動させていったときの状態を表している。  
ここで、本実施例の記録装置１は、挿入口６の周辺部分以外は上記実施例１と共通する構成である。なお、上記実施例１と共通する構成部材は同じ符号で示しており、詳細な説明は省略する。
【００３５】
実施例１の記録装置１は、挿入抑制部１０として、挿入範囲７を広げる方向にエッジガイド９の位置を変更することに伴い、少なくとも一部が折りたたまれるよう構成されるカバー部１０ａを備えていた。  
一方、本実施例の記録装置１は、図５Ａから図５Ｄで表されるように、挿入抑制部１０として、挿入範囲７を広げる方向にエッジガイド９の位置を変更することに伴い、退避方向Ｆに退避するよう構成されるカバー部１０ｂを備えている。詳細には、カバー部１０ｂは、退避方向Ｆと反対方向に向けて不図示の付勢部により付勢されており、挿入範囲７を広げる方向にエッジガイド９の位置を変更することに伴い、エッジガイド９と接触しながら該エッジガイド９によって退避方向Ｆに押される構成になっている。
【００３６】
別の表現をすると、本実施例の挿入抑制部１０は、非挿入範囲８の少なくとも一部をカバー可能なカバー部１０ｂを有し、カバー部１０ｂは、挿入範囲７を広げる方向にエッジガイド９の位置を変更することに伴い、図５Ａから図５Ｄで表されるように、少なくとも一部が挿入口６から退避するよう構成されている。これにより、簡単に挿入抑制部１０を構成することができる。また、カバー部１０ｂの装置本体における退避する側にカバー部１０ｂを退避させることが可能なスペースがある場合などにおいて、このスペースを有効に利用して設置することができ、装置の大型化を抑制することができる。  
なお、本実施例のカバー部１０ｂは、挿入範囲７を狭める方向にエッジガイド９の位置を変更することに伴い、図５Ｄから図５Ａで表されるように、挿入口６に進入（退避方向Ｆと反対方向に移動）して非挿入範囲８をカバーする構成になっている。
【００３７】
［実施例３］（図６）
次に、本発明の実施例３の記録装置１について説明する。  
図６は、本実施例の記録装置１の挿入口６の概略平面透視図であり、実施例１の記録装置１における図４に対応する図である。  
ここで、本実施例の記録装置１は、挿入口６の周辺部分以外は上記実施例１及び２と共通する構成である。なお、上記実施例１及び２と共通する構成部材は同じ符号で示しており、詳細な説明は省略する。
【００３８】
本実施例の記録装置１は、図６Ａから図６Ｃで表されるように、挿入抑制部１０として、挿入範囲７を広げる方向にエッジガイド９の位置を変更することに伴い、端部側から巻き取られる可撓性のカバー部１０ｃを備えている。さらに詳細には、走査方向Ｂにおける本体部２の端部に巻取部１２が設けられ、挿入口６におけるエッジガイド９と巻取部１２との間で可撓性のカバー部１０ｃが張られた状態となるように構成されている。そして、巻取部１２は、エッジガイド９が走査方向Ｂにおける中央側から端部側に移動することに伴い回転方向Ｅに回転して可撓性のカバー部１０ｃが張られた状態となるように該カバー部１０ｃを巻き取り、エッジガイド９が逆側に移動することに伴い回転方向Ｅとは逆回転する。なお、巻取部１２には不図示のスプリングにより回転方向Ｅに回転する力がかかっており、挿入範囲７を狭める方向にエッジガイド９の位置を変更することに伴い、巻取部１２はカバー部１０ｃに張力が掛かった状態でカバー部１０ｃを巻き取ることが可能な構成になっている。
【００３９】
本実施例の記録装置１について別の表現をすると、本実施例の挿入抑制部１０は、非挿入範囲８の少なくとも一部をカバー可能な可撓性のカバー部１０ｃを有し、カバー部１０ｃは、挿入範囲７を広げる方向にエッジガイド９の位置を変更することに伴い、少なくとも一部が巻き取られるよう構成されている。これにより、簡単に挿入抑制部１０を構成することができる。また、巻取式であるので、カバー部１０ｃは巻取部１２内に巻き取られて収容されるので、装置の大型化を抑制することができる。
【００４０】
［その他の実施例］
上記実施例１から３の記録装置１では、挿入抑制部１０は、挿入口６における非挿入範囲８の少なくとも一部をカバー可能なカバー部を備えていた。  
しかしながら、このような構成には限定されない。
【００４１】
例えば、挿入抑制部１０が挿入口６に対して進退可能な進退部（例えば、ピン状の突出部）を有する構成とし、該進退部が、エッジガイド９の位置を変更することにより、挿入範囲７が所定の範囲未満となった場合に非挿入範囲８に進入し、挿入範囲７が所定の範囲以上となった場合に非挿入範囲８から退出する構成としてもよい。このような構成とすることで、突起部のような小さい構成部材で媒体Ｍの誤挿入を抑制することができる。
【００４２】
なお、本発明は上記実施例に限定されることなく、特許請求の範囲に記載した発明の範囲内で種々の変形が可能であり、それらも本発明の範囲内に含まれることは言うまでもない。  
例えば、上記実施例においては、記録をする記録装置に限定しているが、画像を読取るシートフィードスキャナでもよい
【符号の説明】
【００４３】
１…記録装置、２…本体部、３…操作パネル、４…スタッカー、５…カバー、
６…挿入口、７…挿入範囲、８、８ａ、８ｂ…非挿入範囲、
９、９ａ、９ｂ…エッジガイド（ガイド部）、  １０…挿入抑制部、
１０ａ…カバー部、１０ｂ…カバー部、１０ｃ…カバー部、１１…屈折部、
１２…巻取部、１３…参考例の記録装置、１４…記録ヘッド、１５…キャリッジ、
Ｍ…媒体
【図１】
2017114574.tif 000003
【図２】
2017114574.tif 000004
【図３】
2017114574.tif 000005
【図４】
2017114574.tif 000006
【図５】
2017114574.tif 000007
【図６】
2017114574.tif 000008
【図７】
2017114574.tif 000009